(57)【要約】  本発明によれば、人工歯（Ｔ）の断面積に応じて、セラミック混合液（Ｓ）への浸漬と紫外線硬化を演算制御部（１０）の命令に基づく昇降手段（２０）及びフィルタ部（５０）の駆動によって繰り返し行う。【選択図】図３
2021506528.tif 000002
【特許請求の範囲】
【請求項１】
人工歯の成形に必要な３次元グラフィックスデータ（Ｄ＿ｇ）を、連続的な断層データ（Ｄ＿ｌ）に演算変換して出力するための演算制御部（１０）と、
演算制御部（１０）から入力される断層データ（Ｄ＿ｌ）に基づいて、粉末セラミックと紫外線硬化剤とが混合されたゲルタイプのセラミック混合液（Ｓ）に対して人工歯（Ｔ）の生成のために所定の時間人工歯の生成ステージ（２２）を浸漬するための昇降手段（２０）と、
昇降手段（２０）の生成ステージ（２２）が浸漬されるためのセラミック混合液（Ｓ）が収容されるための水槽（３０）と、
水槽（３０）に収容されたセラミック混合液（Ｓ）が接する生成ステージ（２２）に対して紫外線を照射するための照射手段（４０）と、
照射手段（４０）から照射された紫外線が演算制御部（１０）からの断層データ（Ｄ＿ｌ）に基づいて生成ステージ（２２）に照射される紫外線照射領域（Ｓ＿１、Ｓ＿２、．．．、Ｓ＿ｎ）をフィルタリングするためのフィルタ部（５０）と、を含んでなる、人工歯成形装置。
【請求項２】
演算制御部（１０）は、人工歯の成形に必要な３次元グラフィックスデータ（Ｄ＿ｇ）を、連続的な断面を持つ断層データ（Ｄ＿ｌ）に変換して出力し、
断層データ（Ｄ＿ｌ）に基づく人工歯の成形のための人工歯断面に対応して紫外線が照射されるようにフィルタ部（５０）を制御することを特徴とする、請求項１に記載の人工歯成形装置。
【請求項３】
フィルタ部（５０）は、画素単位で偏光に応じて電磁波を遮蔽するように構成されることを特徴とする、請求項２に記載の人工歯成形装置。
【請求項４】
昇降手段（２０）によって人工歯（Ｔ）の生成ステージ（２２）がセラミック混合液（Ｓ）に浸漬されているとき、人工歯の歯槽骨部分からその断面領域（Ｓ＿１’、Ｓ＿２’、．．．、Ｓ＿ｎ’）に対応する領域に応じて紫外線が透過されるように、演算制御部（１０）は、フィルタ部（５０）の光透過領域である紫外線照射領域（Ｓ＿１、Ｓ＿２、．．．、Ｓ＿ｎ）を制御することを特徴とする、請求項２に記載の人工歯成形装置。
【請求項５】
昇降手段（２０）は、本体のベース（Ｂ）の一側壁から延びた側壁（Ｗ）に対して生成ステージ（２２）が昇降するようにするためのガイドレール（２４ａ）、ガイドレール（２４ａ）に沿ってガイドされるためのガイドブロック（２６）、及びガイドブロック（２６）をモータ（２８）の駆動によって並進運動させるためのスクリュー（２８ａ）から構成されることを特徴とする、請求項４に記載の人工歯成形装置。
【請求項６】
ガイドブロック（２６）は、ガイドレール（２４ａ）に挿入されてガイドされるためのガイド溝（２６ａ）と、スクリュー（２８ａ）の回転運動を直進運動に変換させるためのねじ山（２８ｂ）がさらに備えられることを特徴とする、請求項５に記載の人工歯成形装置。
【請求項７】
セラミック混合液（Ｓ）は、セラミック粉末１００％重量部に対して、アクリレート系オリゴマー化合物５〜１５％重量部、アクリレート系モノマー１〜１０％重量部、光開始剤１〜１０％重量部、及び分散剤１〜１０％重量部を含んでなることを特徴とする、請求項１乃至６のいずれか一項に記載の人工歯成形装置。
【請求項８】
セラミック粉末がジルコニアの粉末からなることを特徴とする、請求項７に記載の人工歯成形装置。
【請求項９】
演算制御部（１０）によって、人工歯の成形に必要な３次元グラフィックスデータ（Ｄ＿ｇ）を、連続的な断層データ（Ｄ＿ｌ）に演算変換して出力するステップと、
昇降手段（２０）によって、演算制御部（１０）から入力される断層データ（Ｄ＿ｌ）に基づいて粉末セラミックと紫外線硬化剤とが混合されたゲルタイプのセラミック混合液（Ｓ）に対して人工歯（Ｔ）の生成のために所定の時間人工歯の生成ステージ（２２）を浸漬するステップと、 
照射手段（４０）によって、水槽（３０）に収容されたセラミック混合液（Ｓ）が接する生成ステージ（２２）に対して紫外線を照射するステップと、
フィルタ部（５０）によって、照射手段（４０）から照射された紫外線が演算制御部（１０）からの断層データ（Ｄ＿ｌ）に基づいて生成ステージ（２２）に照射される紫外線照射領域（Ｓ＿１、Ｓ＿２、．．、Ｓ＿ｎ）をフィルタリングするステップと、を含み、
人工歯の成形が完成するまでこれらのステップが順次繰り返し行われることを特徴とする、人工歯成形方法。
【発明の詳細な説明】
【技術分野】
【０００１】
本発明は、人工歯成形装置及びその方法に係り、より詳細には、人工歯成形において液状のベースに内在している粉末セラミックを層別に連続的に成形加工することにより、施術用人工歯を成形する装置及びその方法に関する。
【背景技術】
【０００２】
一般に、歯に入れ歯をはめ込んだり部分的に金冠をかぶせたり矯正装置を備えたりするなど、歯の代替物や装置物を製作、修理、加工する業務を歯科技工と呼び、処方による依頼事項に応じて代替物や補完物を製作する。
【０００３】
従来は、人工歯の製造作業が手作業で行われるか或いは成形装置を用いて行われても、熟練した作業者の成形技術に依存しているので、同じ形態の人工歯の精密作業を容易に行うことは困難であるという問題点がある。
【０００４】
かかる問題点を解決するために、韓国公開特許公報第１０−２００９−００２３９４６号には、図１に示すように、作業台と、作業台に設置され、模型歯型と成形歯型が装着される歯型据置台、歯型据置台の他側に設置される第１、第２支持シャフトと、第１、第２支持シャフトに結合される４節リンクアセンブリ、４節リンクアセンブリにおいて成形歯型に対応して設置される加工レバー及び模型歯型に対応して設置されるガイドレバー、歯型据置台の下部に備えられ、加工粉塵を回収する粉塵回収カバー、並びに粉塵回収カバーに連結され、加工粉塵を吸引する真空吸引器とを含む歯成形装置が開示されている。このような従来の歯成形装置を用いるにあたり、人工歯を切削して成形した後、焼成によって人工歯を加工するようにしている。
【０００５】
ところが、従来のように人工歯の加工において切削によって人工歯を成形しているので、歯の切削成形における加工対象となる人工歯が回転テーブルを必要とするだけでなく、３次元の形状に対する切削加工において加工の死角になる箇所がある場合に加工の困難さがある。さらに、加工時間が多くかかるので、生産性が低いという問題点がある。
【０００６】
したがって、かかる問題点を解決することができる技術の開発が求められている。
【発明の概要】
【発明が解決しようとする課題】
【０００７】
そこで、本発明の目的は、人工歯の成形における加工の生産性を向上させることができる人工歯成形装置及びその方法を提供することにある。
【課題を解決するための手段】
【０００８】
本発明によれば、人工歯Ｔの断面積に応じて、セラミック混合液Ｓへの浸漬と紫外線硬化を、演算制御部１０の命令に基づいた昇降手段２０及びフィルタ部５０の駆動によって繰り返し行う。
【発明の効果】
【０００９】
したがって、本発明によれば、人工歯Ｔの断面積に応じて、セラミック混合液Ｓへの浸漬と紫外線硬化を、演算制御部１０の命令に基づいた昇降手段２０及びフィルタ部５０の駆動によって繰り返し行うことにより、人工歯Ｔの成形に伴われている陰影地帯を除去して人工歯Ｔを製造することができる。それにより、事後的な細工過程を大幅に省略することにより、製造工程の効率を向上させることができ、製造コストを削減することができる。
【図面の簡単な説明】
【００１０】
【図１】韓国公開特許公報第１０−２００９−００２３９４６号による歯成形装置の概略斜視図である。
【図２】本発明の好適な実施形態に係る人工歯成形装置の概略斜視図である。
【図３】本発明の好適な実施形態に係る人工歯成形装置の概略分解斜視図である。
【図４】本発明の好適な実施形態に係る人工歯成形装置の動作を示す要部概略図である。
【発明を実施するための最良の形態】
【００１１】
本発明によれば、人工歯の成形に必要な３次元グラフィックスデータＤ＿ｇを、連続的な断層データＤ＿ｌに演算変換して出力するための演算制御部１０と、演算制御部１０から入力される断層データＤ＿ｌに基づいて、粉末セラミックと紫外線硬化剤とが混合されたゲルタイプのセラミック混合液Ｓに対して人工歯Ｔの生成のために所定の時間人工歯の生成ステージ２２を浸漬するための昇降手段２０と、昇降手段２０の生成ステージ２２が浸漬されるためのセラミック混合液Ｓが収容されるための水槽３０と、水槽３０に収容されたセラミック混合液Ｓが接する生成ステージ２２に対して紫外線を照射するための照射手段４０と、照射手段４０から照射された紫外線が演算制御部１０からの断層データＤ＿ｌに基づいて生成ステージ２２に照射される紫外線照射領域Ｓ＿１、Ｓ＿２、．．．、Ｓ＿ｎをフィルタリングするためのフィルタ部５０とを含んでなる人工歯成形装置が提供される。
【発明を実施するための形態】
【００１２】
以下、添付図面を参照して、本発明の好適な実施形態に係る人工歯成形装置について詳細に説明する。
【００１３】
昇降手段は、ガイドされるためのガイドブロック２６、及びガイドブロック２６をモータ２８の駆動によって並進運動させるためのスクリュー２８ａから構成される。ガイドブロック２６は、ガイドレール２４ａに挿入されてガイドされるためのガイド溝２６ａと、スクリュー２８ａの回転運動を直進運動に変換させるためのねじ山２８ｂとがさらに備えられる。演算制御部１０の制御によって、モータ２８は正回転と逆回転を行い、それによりガイドレール２４ａに沿ってガイドブロック２６が昇降する。
【００１４】
照射手段４０は、水槽３０に収容されたセラミック混合液Ｓが接する生成ステージ２２に対して紫外線照射させる。
【００１５】
フィルタ部５０は、照射手段４０から照射された紫外線が演算制御部１０からの断層データＤ＿ｌに基づいて生成ステージ２２に照射される紫外線照射領域Ｓ＿１、Ｓ＿２、．．．、Ｓ＿ｎをフィルタリングするための偏光素子を備える。
【００１６】
前述したように、発明の好適な実施形態に係る人工歯成形装置によれば、人工歯Ｔの断面積に応じて、セラミック混合液Ｓへの浸漬と紫外線硬化を演算制御部１０の命令に基づく昇降手段２０及びフィルタ部５０の駆動によって繰り返し行うことにより、人工歯Ｔの成形に伴われている陰影地帯を除去して人工歯Ｔを製造することができる。それにより、事後的な細工過程を大幅に省略することにより、製造工程の効率を向上させることができ、製造コストを削減することができる。
【産業上の利用可能性】
【００１７】
本発明によれば、事後的な細工過程を大幅に省略することにより、製造工程の効率を向上させることができ、製造コストを削減することができる。
【図１】
2021506528.tif 000003
【図２】
2021506528.tif 000004
【図３】
2021506528.tif 000005
【図４ａ】
2021506528.tif 000006
【図４ｂ】
2021506528.tif 000007
【図４ｃ】
2021506528.tif 000008
【手続補正書】
【提出日】令和2年7月20日(2020.7.20)
【手続補正１】
【補正対象書類名】明細書
【補正対象項目名】全文
【補正方法】変更
【補正の内容】
【発明の詳細な説明】
【技術分野】
【０００１】
本発明は、人工歯成形装置及びその方法に係り、より詳細には、人工歯成形において液状のベースに内在している粉末セラミックを層別に連続的に成形加工することにより、施術用人工歯を成形する装置及びその方法に関する。
【背景技術】
【０００２】
一般に、歯に入れ歯をはめ込んだり部分的に金冠をかぶせたり矯正装置を備えたりするなど、歯の代替物や装置物を製作、修理、加工する業務を歯科技工と呼び、処方による依頼事項に応じて代替物や補完物を製作する。
【０００３】
従来は、人工歯の製造作業が手作業で行われるか或いは成形装置を用いて行われても、熟練した作業者の成形技術に依存しているので、同じ形態の人工歯の精密作業を容易に行うことは困難であるという問題点がある。
【０００４】
かかる問題点を解決するために、韓国公開特許公報第１０−２００９−００２３９４６号には、図１に示すように、作業台と、作業台に設置され、模型歯型と成形歯型が装着される歯型据置台、歯型据置台の他側に設置される第１、第２支持シャフトと、第１、第２支持シャフトに結合される４節リンクアセンブリ、４節リンクアセンブリにおいて成形歯型に対応して設置される加工レバー及び模型歯型に対応して設置されるガイドレバー、歯型据置台の下部に備えられ、加工粉塵を回収する粉塵回収カバー、並びに粉塵回収カバーに連結され、加工粉塵を吸引する真空吸引器とを含む歯成形装置が開示されている。このような従来の歯成形装置を用いるにあたり、人工歯を切削して成形した後、焼成によって人工歯を加工するようにしている。
【０００５】
ところが、従来のように人工歯の加工において切削によって人工歯を成形しているので、歯の切削成形における加工対象となる人工歯が回転テーブルを必要とするだけでなく、３次元の形状に対する切削加工において加工の死角になる箇所がある場合に加工の困難さがある。さらに、加工時間が多くかかるので、生産性が低いという問題点がある。
【０００６】
したがって、かかる問題点を解決することができる技術の開発が求められている。
【発明の概要】
【発明が解決しようとする課題】
【０００７】
そこで、本発明の目的は、人工歯の成形における加工の生産性を向上させることができる人工歯成形装置及びその方法を提供することにある。
【課題を解決するための手段】
【０００８】
本発明によれば、人工歯Ｔの断面積に応じて、セラミック混合液Ｓへの浸漬と紫外線硬化を、演算制御部１０の命令に基づいた昇降手段２０及びフィルタ部５０の駆動によって繰り返し行う。
【発明の効果】
【０００９】
したがって、本発明によれば、人工歯Ｔの断面積に応じて、セラミック混合液Ｓへの浸漬と紫外線硬化を、演算制御部１０の命令に基づいた昇降手段２０及びフィルタ部５０の駆動によって繰り返し行うことにより、人工歯Ｔの成形に伴われている陰影地帯を除去して人工歯Ｔを製造することができる。それにより、事後的な細工過程を大幅に省略することにより、製造工程の効率を向上させることができ、製造コストを削減することができる。
【図面の簡単な説明】
【００１０】
【図１】韓国公開特許公報第１０−２００９−００２３９４６号による歯成形装置の概略斜視図である。
【図２】本発明の好適な実施形態に係る人工歯成形装置の概略斜視図である。
【図３】本発明の好適な実施形態に係る人工歯成形装置の概略分解斜視図である。
【図４】本発明の好適な実施形態に係る人工歯成形装置の動作を示す要部概略図である。
【発明を実施するための最良の形態】
【００１１】
本発明によれば、人工歯の成形に必要な３次元グラフィックスデータＤ＿ｇを、連続的な断層データＤ＿ｌに演算変換して出力するための演算制御部１０と、演算制御部１０から入力される断層データＤ＿ｌに基づいて、粉末セラミックと紫外線硬化剤とが混合されたゲルタイプのセラミック混合液Ｓに対して人工歯Ｔの生成のために所定の時間人工歯の生成ステージ２２を浸漬するための昇降手段２０と、昇降手段２０の生成ステージ２２が浸漬されるためのセラミック混合液Ｓが収容されるための水槽３０と、水槽３０に収容されたセラミック混合液Ｓが接する生成ステージ２２に対して紫外線を照射するための照射手段４０と、照射手段４０から照射された紫外線が演算制御部１０からの断層データＤ＿ｌに基づいて生成ステージ２２に照射される紫外線照射領域Ｓ＿１、Ｓ＿２、．．．、Ｓ＿ｎをフィルタリングするためのフィルタ部５０とを含んでなる人工歯成形装置が提供される。
【発明を実施するための形態】
【００１２】
以下、添付図面を参照して、本発明の好適な実施形態に係る人工歯成形装置について詳細に説明する。
【００１３】
演算制御部１０は、人工歯の成形に必要な３次元グラフィックスデータＤ＿ｇを、連続的な断面を有する断層データＤ＿ｌに変換して出力する。また、演算制御部１０は、断層データＤ＿１に基づく人工歯の成形のための人工歯断面に対応して紫外線が照射されるようにフィルタ部５０を制御する。この際、フィルタ部５０は、画素単位で偏光に応じて電磁波を遮蔽するように構成される。すなわち、図４に示すように、昇降手段２０によって人工歯Ｔの生成ステージ２２がセラミック混合液Ｓに浸漬されているとき、人工歯の歯槽骨部分からその断面領域Ｓ＿１’、Ｓ＿２’、．．．、Ｓ＿ｎ’に対応する領域に応じて紫外線が透過できるように、演算制御部１０は、フィルタ部５０の光透過領域である紫外線領域Ｓ＿１、Ｓ＿２、．．．、Ｓ＿ｎを制御する。
【００１４】
また、演算制御部１０は、昇降手段２０によって人工歯Ｔの生成ステージ２２がセラミック混合液Ｓに対して反復的な浸漬が行われるように昇降手段２０を制御する。
【００１５】
つまり、演算制御部１０によって、昇降手段２０が一定の深さでセラミック混合液Ｓに対して生成ステージ２２を浸漬させた後、順次紫外線照射領域Ｓ＿１、Ｓ＿２、．．．、Ｓ＿ｎに紫外線が透過されて生成ステージ２２上に人工歯Ｔが生成されるようにする。この際、生成ステージ２２がセラミック混合液Ｓに対して一定の深さだけ浸漬された後に、歯の断面層に対応する領域に紫外線が照射されてセラミック混合液Ｓが硬化する。
【００１６】
このように反復的な浸漬と硬化によってセラミック混合液Ｓから生成ステージ２２上に人工歯Ｔが生成される。
【００１７】
セラミック混合液Ｓは、セラミック粉末１００％重量部に対して、アクリレート系オリゴマー化合物５〜１５％重量部、アクリレート系モノマー１〜１０％重量部、光開始剤１〜１０％重量部、及び分散剤１〜１０％重量部を含んでなり、セラミック粉末は、ジルコニア粉末からなることが好ましい。
【００１８】
昇降手段２０は、演算制御部１０から入力される断層データＤ＿ｌに基づいて粉末セラミックと紫外線硬化剤とが混合されたゲルタイプのセラミック混合液Ｓに対して人工歯Ｔの生成のために所定の時間反復的に人工歯の生成ステージ２２を浸漬するための手段である。
【００１９】
昇降手段２０は、本体のベースＢの一側壁から延びた側壁Ｗに対して生成ステージ２２が昇降するようにするためのガイドレール２４ａ、ガイドレール２４ａに沿ってガイドされるためのガイドブロック２６、及びガイドブロック２６をモータ２８の駆動によって並進運動させるためのスクリュー２８ａから構成される。ガイドブロック２６は、ガイドレール２４ａに挿入されてガイドされるためのガイド溝２６ａと、スクリュー２８ａの回転運動を直進運動に変換させるためのねじ山２８ｂとがさらに備えられる。演算制御部１０の制御によって、モータ２８は正回転と逆回転を行い、それによりガイドレール２４ａに沿ってガイドブロック２６が昇降する。
【００２０】
照射手段４０は、水槽３０に収容されたセラミック混合液Ｓが接する生成ステージ２２に対して紫外線照射させる。
【００２１】
フィルタ部５０は、照射手段４０から照射された紫外線が演算制御部１０からの断層データＤ＿ｌに基づいて生成ステージ２２に照射される紫外線照射領域Ｓ＿１、Ｓ＿２、．．．、Ｓ＿ｎをフィルタリングするための偏光素子を備える。
【００２２】
前述したように、発明の好適な実施形態に係る人工歯成形装置によれば、人工歯Ｔの断面積に応じて、セラミック混合液Ｓへの浸漬と紫外線硬化を演算制御部１０の命令に基づく昇降手段２０及びフィルタ部５０の駆動によって繰り返し行うことにより、人工歯Ｔの成形に伴われている陰影地帯を除去して人工歯Ｔを製造することができる。それにより、事後的な細工過程を大幅に省略することにより、製造工程の効率を向上させることができ、製造コストを削減することができる。
【産業上の利用可能性】
【００２３】
本発明によれば、事後的な細工過程を大幅に省略することにより、製造工程の効率を向上させることができ、製造コストを削減することができる。
【国際調査報告】
2021506528.tif 000009
2021506528.tif 000010
2021506528.tif 000011
2021506528.tif 000012